【手続補正書】
【提出日】平成17年2月10日(2005.2.10)
【手続補正１】
【補正対象書類名】明細書
【補正対象項目名】特許請求の範囲
【補正方法】変更
【補正の内容】
【特許請求の範囲】
【請求項１】
空間フィルタにより入力画像データに対して周波数に応じた変換を施すことができる画像処理装置において、
多階調の入力画像データからエッジ量を検出するエッジ量検出手段と、
前記入力画像データに対して周波数に応じた変換を施す第１のフィルタ処理手段と、
前記入力画像データに対して第１のフィルタ処理手段とは異なる、周波数に応じた変換を施す第２のフィルタ処理手段と、
前記エッジ量検出手段の出力結果に応じて第２のフィルタ処理手段による出力結果に乗算を施す乗算器と、
前記乗算器の出力結果と前記第１のフィルタ処理手段の出力結果とを加算する加算器とを備え、
前記第１のフィルタ処理手段を、特定の周波数領域のデータ成分のみを増強するバンドパスフィルタで構成したことを特徴とする画像処理装置。
【請求項２】
請求項１記載の画像処理装置において、第１のフィルタ処理手段が、低周波数領域と高周波数領域との間の周波数領域のデータ成分のみを増強する周波数伝達特性の補正を行うバンドパスフィルタであることを特徴とする画像処理装置。
【請求項３】
請求項１または請求項２記載の画像処理装置において、第１のフィルタ処理手段が、空間周波数伝達特性を示す２次元空間上で斜め４５度方向の周波数伝達特性を持つ信号を減衰させるような周波数伝達特性の補正を行うバンドパスフィルタであることを特徴とする画像処理装置。
【請求項４】
空間フィルタにより入力画像データに対して周波数に応じた変換を施すことができる画像処理装置において、多階調の入力画像データから画像面の複数の方向のエッジ量をそれぞれ検出するエッジ量検出手段と、前記エッジ量検出手段により検出された各方向のエッジ量相互の比較を行うエッジ方向特性判別手段と、前記エッジ方向特性判別手段の比較結果に応じて当該画素に対する変換後エッジ量を算出する第１のエッジ量変換手段とを備えたことを特徴とする画像処理装置。
【請求項５】
請求項４記載の画像処理装置において、第１のエッジ量変換手段が、エッジ方向特性判別手段の比較結果により、２つの斜め方向が共に強いエッジ方向特性であると判別された場合には１以下の定数を、それ以外の場合には１を乗算することにより変換後エッジ量を算出する構成であることを特徴とする画像処理装置。
【請求項６】
請求項５記載の画像処理装置において、２つの斜め方向が共に強いエッジ方向特性であるとする判定基準を、４方向のエッジ量のうち、２つの斜め方向のエッジ量が最大と２番目に大きい値の場合とすることを特徴とする画像処理装置。
【請求項７】
請求項４または請求項５記載の画像処理装置において、第１のエッジ量変換手段から出力される所定量以上の変換後エッジ量に対して、出力されるエッジ量が飽和する非線形の変換特性を有する第２のエッジ量変換手段を備えたことを特徴とする画像処理装置。
【請求項８】
請求項４乃至請求項７のいずれかに記載の画像処理装置において、入力画像データに対してバンドパスフィルタにより周波数に応じた変換を行う第１のフィルタ処理手段と、前記入力画像データに対して第１のフィルタ処理手段とは異なる、周波数に応じた変換を行う第２のフィルタ処理手段と、第１のエッジ量変換手段または第２のエッジ量変換手段の出力結果と第２のフィルタ処理手段の出力結果との乗算を行なう乗算器と、その乗算器の出力結果と前記第１のフィルタ処理手段の出力結果とを加算する加算器とを備えたことを特徴とする画像処理装置。
【請求項９】
請求項１乃至請求項８のいずれかに記載の画像処理装置において、第１のエッジ量変換手段により出力される画素毎のエッジ量を当該画素から所定領域に拡張して求める構成にしたことを特徴とする画像処理装置。
【手続補正２】
【補正対象書類名】明細書
【補正対象項目名】０００４
【補正方法】変更
【補正の内容】
【０００４】
【課題を解決するための手段】
前記の課題を解決するために、請求項１記載の発明では、空間フィルタにより入力画像データに対して周波数に応じた変換を施すことができる画像処理装置において、多階調の入力画像データからエッジ量を検出するエッジ量検出手段と、前記入力画像データに対して周波数に応じた変換を施す第１のフィルタ処理手段と、前記入力画像データに対して第１のフィルタ処理手段とは異なる、周波数に応じた変換を施す第２のフィルタ処理手段と、前記エッジ量検出手段の出力結果に応じて第２のフィルタ処理手段による出力結果に乗算を施す乗算器と、前記乗算器の出力結果と前記第１のフィルタ処理手段の出力結果とを加算する加算器とを備え、前記第１のフィルタ処理手段を、特定の周波数領域のデータ成分のみを増強するバンドパスフィルタで構成した。
また、請求項２記載の発明では、請求項１記載の発明において、第１のフィルタ処理手段を、低周波数領域と高周波数領域との間の周波数領域のデータ成分のみを増強する周波数伝達特性の補正を行うバンドパスフィルタで構成した。
また、請求項３記載の発明では、請求項１または請求項２記載の発明において、第１のフィルタ処理手段を、空間周波数伝達特性を示す２次元空間上で斜め４５度方向の周波数伝達特性を持つ信号を減衰させるような周波数伝達特性の補正を行うバンドパスフィルタで構成した。
また、請求項４記載の発明では、空間フィルタにより入力画像データに対して周波数に応じた変換を施すことができる画像処理装置において、多階調の入力画像データから画像面の複数の方向のエッジ量をそれぞれ検出するエッジ量検出手段と、前記エッジ量検出手段により検出された各方向のエッジ量相互の比較を行うエッジ方向特性判別手段と、前記エッジ方向特性判別手段の比較結果に応じて当該画素に対する変換後エッジ量を算出する第１のエッジ量変換手段とを備えた。
【手続補正３】
【補正対象書類名】明細書
【補正対象項目名】０００６
【補正方法】変更
【補正の内容】
【０００６】
【作用】
前記のような手段にしたので、請求項１記載の発明では、多階調の入力画像データからエッジ量が検出されるとともに、前記入力画像データに対して周波数に応じた第１の変換が施され、また、前記入力画像データに対して、前記第１の変換とは異なる周波数に応じた第２の変換が施され、前記エッジ量検出手段の出力結果に応じて前記第２の変換の出力結果に乗算が施され、前記乗算の出力結果と前記第１の変換の出力結果とが加算され、その際、前記第１の変換では、特定の周波数領域のデータ成分のみが増強される。
請求項２記載の発明では、請求項１記載の発明において、第１の変換では、低周波数領域と高周波数領域との間の周波数領域のデータ成分のみが増強される。
請求項３記載の発明では、請求項１または請求項２記載の発明において、第１の変換では、空間周波数伝達特性を示す２次元空間上で斜め４５度方向の周波数伝達特性を持つ信号が減衰する。
請求項４記載の発明では、多階調の入力画像データから画像面の複数の方向のエッジ量、すなわち縦、横、左上がり斜め、右上がり斜めの４方向のエッジ量が検出され、検出された各方向のエッジ量相互の比較が行われ、その比較結果に応じて当該画素に対する変換後エッジ量が算出される。
【手続補正４】
【補正対象書類名】明細書
【補正対象項目名】００１３
【補正方法】変更
【補正の内容】
【００１３】
【発明の効果】
以上説明したように、本発明によれば、請求項１記載の発明では、多階調の入力画像データからエッジ量が検出されるとともに、前記入力画像データに対して周波数に応じた第１の変換が施され、また、前記入力画像データに対して、前記第１の変換とは異なる、周波数に応じた第２の変換が施され、前記エッジ量検出手段の出力結果に応じて前記第２の変換の出力結果に乗算が施され、前記乗算の出力結果と前記第１の変換の出力結果とが加算され、その際、前記第１の変換では、特定の周波数領域のデータ成分のみが増強されるので、網点上の文字部以外の文字部やライン部についてはエッジ強調系出力である乗算出力を出力値として、高品位なエッジ画像を得られるようにすることができ、網点部や平坦部については特定周波数強調系出力である第１の変換出力を出力値として、モアレやノイズを抑制しつつ得られるようにすることができ、且つ、像域分離手段など画像領域判別手段を用いないので、ハードウェアの規模が大きくならず、コストアップにもならないで済む。また、エッジ強調系、特定周波数強調系とも中程度の周波数領域ではいずれも強調特性を示すようにすることができ、したがって、網点、文字、平坦部の切り替わり部分における不自然な画質劣化の発生も抑制するようにすることができる。
また、請求項２記載の発明では、請求項１記載の発明において、第１の変換では、低周波数領域と高周波数領域との間の周波数領域のデータ成分のみが増強されるので、平坦部については特定周波数強調系出力の第１の変換出力を出力値としてノイズを抑制することができ、また、特定周波数強調系において中程度の周波数領域を強調することができ、したがって、網点、文字、平坦部の切り替わり部分における不自然な画質劣化の発生を抑制することができる。
また、請求項３記載の発明では、請求項１または請求項２記載の発明において、第１の変換では、空間周波数伝達特性を示す２次元空間上で斜め４５度方向の周波数伝達特性を持つ信号が減衰するので、網点部のモアレを抑制することができる。
【手続補正５】
【補正対象書類名】明細書
【補正対象項目名】００１４
【補正方法】変更
【補正の内容】
【００１４】
また、請求項４記載の発明では、多階調の入力画像データから画像面の複数の方向のエッジ量、すなわち縦、横、左上がり斜め、右上がり斜めの４方向のエッジ量が検出され、検出された各方向のエッジ量相互の比較が行われ、その比較結果に応じて当該画素に対する変換後エッジ量が算出されるので、網点部を検出し、網点部のエッジ量を小さくすることができ、したがって、請求項１記載の発明によるエッジ強調系の網点部エッジ量抑制が可能になる。
また、請求項５記載の発明では、請求項４記載の発明において、エッジ量変換の際、検出された各方向のエッジ量を比較した結果、２つの斜め方向が共に強いエッジ方向特性であると判別された場合には、１以下の定数が、それ以外の場合には、１が乗算されるので、エッジ強調系の網点部に対するエッジ量抑制を容易に実現することができる。
また、請求項６記載の発明では、請求項５記載の発明において、４方向のエッジ量のうち、２つの斜め方向のエッジ量が最大と２番目に大きい値の場合、２つの斜め方向が共に強いエッジ方向特性であると判定されるので、網点部を容易に検出することができる。
また、請求項７記載の発明では、請求項４または請求項５記載の発明において、第１のエッジ量変換の出力値である変換後エッジ量が入力されたとき、所定量以上の変換後エッジ量に対しては出力されるエッジ量が飽和する第２のエッジ量変換が行われるので、出力されるエッジ量を所定量以内に抑えることができ、したがって、異常に大きいエッジ量により出力結果が振られるのを防ぐことができる。
また、請求項８記載の発明では、請求項４乃至請求項７記載の発明において、入力画像データに対してバンドパスフィルタにより周波数に応じた第１の変換が行われ、また、前記入力画像データに対して、前記第１の変換とは異なる、周波数に応じた第２の変換が行われ、第１のエッジ量変換または第２のエッジ量変換の出力結果と前記第２の変換の出力結果との乗算が行われ、その乗算の出力結果と前記第１の変換の出力結果とが加算されるので、請求項２記載の発明と同様の効果を得ることができる。
また、請求項９記載の発明では、請求項１乃至請求項８記載の発明において、第１のエッジ量変換により出力される画素毎のエッジ量が当該画素から所定領域に拡張して求められるので、４５度スクリーン角の網点画像だけでなく、より多種類の方向性を持ったエッジ情報の増強／減衰の制御を行なうことができる。